(57)【特許請求の範囲】
【請求項１】
スリーブカバーと、インナーコアと、常温収縮チューブとを具備し、前記インナーコアは一対の略半円筒形のコア部材を開閉自在なるように軸支することで電線が貫通し得る中空筒状に組み立てられ、該インナーコアの先端部を開状態として前記スリーブカバーの開口縁に係止し、その状態で前記常温収縮チューブを前記スリーブカバーの外周面から前記インナーコアの外周面に亘って被着し、前記スリーブカバーに電線を通したうえで前記インナーコアを前記常温収縮チューブ内から引き出すことで前記先端部が前記スリーブカバーの開口縁から離脱して該先端部が前記常温収縮チューブの弾性により閉状態になるようにしたことを特徴とする電線カバーの端部封止工法。
【請求項２】
一対の略半円筒形のコア部材からなり、該各コア部材の先端部は漸次細幅となる二股状に形成され、該コア部材を両側縁の軸支部にて互いにヒンジすることにより前記先端部が開閉自在であって、該軸支部にて分離可能な中空筒状に組み立てられることを特徴とする請求項１に記載した電線カバーの端部封止工法に使用されるインナーコア。
【請求項３】
コア部材の外側面に長手方向に延びるリブを形成したことを特徴とする請求項２に記載したインナーコア。
【請求項４】
一対のコア部材を引出紐によって連結してなることを特徴とした請求項２または３に記載したインナーコア。
【発明の詳細な説明】
【技術分野】
【０００１】
本発明は、空中に架設された電線の接合部を覆う絶縁性の電線カバーであって、該電線カバーの端部を常温収縮チューブによって封止する工法、および、その工法にて使用するインナーコアに関するものである。
【背景技術】
【０００２】
図１１に示したように、電柱等により空中に架設される電線１００は、端部の被覆を取り除いて導電線１０１を剥き出しにし、連結しようとする相手の電線１０２も同様に端部の被覆を取り除いて導電線１０３を剥き出しにし、導電性筒体１０４の両端開口部に該各導電線１０１，１０３の先端部を突っ込んだ後、該導電性筒体１０４をペンチ等の工具で挟んで加圧し潰すことにより、該導電線１０１，１０３の先端部が該筒体１０４中から抜けないように接合することで該導電線どうしを電気的に導通させる一方、予め電線１０２の外周に挿通させておいた絶縁性のスリーブカバー１０５を矢印の方向にスライドさせ、図１２に示したように、該接合部を該スリーブカバー１０５によって覆い、該スリーブカバーの両端部に絶縁テープ１０６を巻着することで該スリーブカバー両端部の開口を塞ぎ、該スリーブカバー内に小動物や雨水等が侵入しないようにし、該接合部を保護するようにしている。
【０００３】
しかし、上記絶縁テープ１０６は、耐候性、耐久性がよくないうえに、しっかりと巻着しないと該スリーブカバー１０５がずれて、接合部が剥き出しになるおそれがある。このためこの工法では絶縁テープ１０６を巻着するに際し細心の注意を要し、作業者に負担を強いるとともに作業性が悪い状況であった。
【０００４】
一方、下記特許文献１〜３に示された電線の筒状保護被覆体は、常温収縮チューブと、該常温収縮チューブ内に配置され該常温収縮チューブを拡径状態に保持するインナーコアとを備え、該インナーコアはリボンを螺旋状に巻き込んだ円筒状体であり、電線連結工事現場にて該リボンを電線に沿って引っ張り出すことにより、該インナーコアが解体され、常温収縮チューブが収縮し電線に密着するようにしたものであり、従来の絶縁テープよりも接合部を確実に封止できる利点がある。
また、下記特許文献４に示されたインナーコアは、円筒状体にＳＺ形の切れ目を入れることでリボン状に解体されて引っ張り出されるようにしたものである。また、下記特許文献５，６は、円筒形のインナーコアの引っ張り出しを容易にするために該インナーコアの外周に摩擦を軽減させる手段を設けたものである。
【先行技術文献】
【特許文献】
【０００５】
【特許文献１】特許第５０８７６６２号公報
【特許文献２】特許第３９４６０３５号公報
【特許文献３】特許第３２７８５０２号公報
【特許文献４】実用新案登録第２５１１９７０号公報
【特許文献５】特許第４０８６２３号公報
【特許文献６】特許第５２４３０２０号公報
【発明の概要】
【発明が解決しようとする課題】
【０００６】
ところで、特許文献１〜４に示されたように、インナーコアがリボン状に解体されるようにしたものでは、解体されたリボンの長さがインナーコアの長さに比例して長いものとなるので、引っ張り出すのに手間が掛かるという問題がある。
また、常温収縮チューブは予めインナーコアの外周に強く密着させたものでなければ封止性が確保されないので、特許文献５，６に示されたような摩擦軽減手段を設けたものであっても、インナーコアを引っ張り出すのになおも苦慮しており、高所での作業であることと相俟って、作業性が悪く、作業者に大きな負担を掛けているという状況であった。
【課題を解決するための手段】
【０００７】
本発明に係る電線カバーの端部封止工法は、上記課題を解決しようとするもので、スリーブカバーと、インナーコアと、常温収縮チューブとを具備し、前記インナーコアは一対の略半円筒形のコア部材を開閉自在なるように軸支することで電線が貫通し得る中空筒状に組み立てられ、該インナーコアの先端部を開状態として前記スリーブカバーの開口縁に係止し、その状態で前記常温収縮チューブを前記スリーブカバーの外周面から前記インナーコアの外周面に亘って被着し、前記スリーブカバーに電線を通したうえで前記インナーコアを前記常温収縮チューブ内から引き出すことで前記先端部が前記スリーブカバーの開口縁から離脱して該先端部が前記常温収縮チューブの弾性により閉状態になるようにしたことを特徴とする。
このため、インナーコアの引き出しが容易になる。
【０００８】
また本発明に係るインナーコアは、上記電線カバーの端部封止工法に使用されるインナーコアであって、一対の略半円筒形のコア部材からなり、該各コア部材の先端部は漸次細幅となる二股状に形成され、該コア部材を両側縁の軸支部にて互いにヒンジすることにより前記先端部が開閉自在であって、該軸支部にて分離可能な中空筒状に組み立てられることを特徴とする。
また、本発明は上記インナーコアにおいて、コア部材の外側面に長手方向のリブを形成したことを特徴とする。
また、本発明は上記インナーコアにおいて、一対のコア部材を引出紐によって連結してなることを特徴とする。
引出紐を常温収縮チューブの開口端から突出させておくことによりインナーコアの引き出しが一層容易になる。
【発明の効果】
【０００９】
本発明によれば、インナーコアを簡単に引き出し得るので、電線連結工事の作業性を向上させるとともに、作業者の負担を軽減させる。
【図面の簡単な説明】
【００１０】
【図１】本発明に係るインナーコアの斜視図。
【図２】図１に示したインナーコアの分解斜視図。
【図３】図１のＡ−Ａ線断面図。
【図４】本発明に係る電線カバーの外観斜視図。
【図５】図４に示した電線カバーの一端部の拡大縦断面図。
【図６】本発明に係る電線カバーに電線を挿入した際の縦断面図。
【図７】本発明に係る電線カバーにおけるインナーコアを引き出す途中の縦断面図。
【図８】本発明に係る電線カバーの常温収縮チューブによる封止状態の縦断面図。
【図９】本発明に係る電線カバーの他の実施形態を示した縦断面図。
【図１０】本発明に係る電線カバーの他の実施形態を示した縦断面図。
【図１１】従来の電線連結工事における電線カバーの配置を示す側面図。
【図１２】従来の電線カバーの取付状況を示す側面図。
【発明を実施するための最良の形態】
【００１１】
図１〜図３に示したように、本発明に係るインナーコア１は、電気的な絶縁性の高いプラスチックにより略半円筒形に成形されたコア部材１ａ、および、該コア部材１ａと同一材料により同一形状に成形されたコア部材１ｂとからなる。該コア部材１ａ，１ｂは、その一端が二股状に成形され、先端に向かうほど漸次細幅なる爪形の先端部１４，１４が形成される。なお、該各先端部１４，１４の内面にそれぞれ係合段部１５が形成されている。また、該コア部材１ａ，１ｂの外側面に中央部に長手方向に延びるリブ１６ａを一体に形成されているとともに、該コア部材１ａ，１ｂの外側面の両側縁にも長手方向に延びるリブ１６ｂが形成されている。
【００１２】
また、該コア部材１ａ，１ｂの長手方向略中間の両側縁に互いに回転自在に合致し得る軸支部１７，１８を形成している。その一方の軸支部１７は、該側縁に形成された半円板形の突片１９に該インナーコア１の幅方向と平行なる短軸２０を形成してなるものである。他方の軸支部１８は、該突片１９が遊嵌する袋状部２１および該短軸２０が遊嵌するＵ字形の軸受２２を形成してなるものである。また、該コア部材１ａ，１ｂの前記先端部１４，１４と反対側端縁にタブ２３が一体に形成され、該タブ２３に透孔２４が形成され、該透孔２４に引出紐２５の両端部を挿通することで、該コア部材１ａ，１ｂに該引出紐２５の両端を結止している。なお、タブ２３はコア部材１ａ，１ｂの後側端縁から外方に屈折した形状に形成されている。また、引出紐２５としては、両端部にホックボタンが形成されたプラスチック製の可撓性弾性帯（図示せず）によって連結するようにしてもよい。また、プラスチック製のコア部材１ａ，１ｂを成形する際に可撓性弾性帯からなる紐部が一体に成形されるようにしてもよい。
【００１３】
該コア部材１ａと該コア部材１ｂとは、前記突片１９を前記袋状部２１に遊嵌し、前記短軸２０を軸受２２に遊嵌することにより互いの両側縁が横ズレすることなく合着し、両コア部材１ａ，１ｂが該軸支部１７，１８を支点として開閉自在にヒンジされる。このように該コア部材１ａとコア部材１ｂとは合着することで、図１および図３に示したように中空筒状のインナーコア１に組み立てられる。なお、突片１９と袋状部２１、および短軸２０と軸受２２とは、それぞれ遊嵌および離脱が自在であることから、両コア部材１ａ，１ｂは、図１に合着状態を示し、図２に分離状態を示したように、合着と分離が自在となる。
【００１４】
一方、図４、図５に示したように、スリーブカバー３０は、絶縁性のプラスチックにより両端が開口した円筒形に成形されたものであり、前記コア部材１ａとコア部材１ｂとを開状態として、該コア部材１ａの先端部１４，１４と該コア部材１ｂの先端部１４，１４とが該スリーブカバー３０の開口縁に係止される。このとき、該各先端部１４，１４の前記係合段部１５を該スリーブカバー３０の端面に当接させることで、該各先端部１４，１４をスリーブカバー３０の開口縁に位置ずれなく係止することができる。
【００１５】
また、常温収縮チューブ４０は、弾力性に優れた合成ゴムにより内径がスリーブカバー３０の外径よりも小さい円筒形に成形されたもので、スリーブカバー３０の端部寄りの外周面からコア部材１ａ，１ｂの先端部１４，１４寄りの外周面に亘って覆い得るような長さを有する。該常温収縮チューブ４０の内側に拡径用の治具（図示せず）を挿入することで、該常温収縮チューブ４０をその弾性に抗して拡径状態に保持し、その拡径状態の常温収縮チューブ４０内にコア部材１ａの先端部１４，１４とコア部材１ｂの先端部１４，１４が開状態とし係止されたスリーブカバー３０を挿入する。そして該治具を抜き去ることで、該常温収縮チューブ４０を弾性によりスリーブカバー３０の外周面から該コア部材１ａ，１ｂの外周面に亘って被着させる。なお、該常温収縮チューブ４０は内径がスリーブカバー３０の外径よりも小さいために、該常温収縮チューブ４０は常温でスリーブカバー３０の外周面からインナーコア１の外周面に亘って被着し、コア部材１ａ，１ｂの先端部１４，１４を強力に締め付け得る収縮能力を有している。またこのように常温収縮チューブ４０が収縮することにより、コア部材１ａとコア部材１ｂとは該常温収縮チューブ４０中にて合着した状態に保たれる。
【００１６】
本発明に係る電線カバーは、図４にも示したように、工場にてスリーブカバー３０の両端部にインナーコア１および常温収縮チューブ４０を予め止着し、前記引出紐２５を該各常温収縮チューブ４０の開口端から外部に突出させた状態で出荷される。そして、電線接合工事の現場にて、空中に架設された電線４１の接合部をこの電線カバーにより覆うに際しては、電線どうしを接合する前に図６に示したように予め該電線４１の外周にこの電線カバーを挿通させておく。その電線挿通時にタブ２３は外方に屈折した形状に形成されているので邪魔になり難い。そして、電線どうしを接合した後に該スリーブカバー３０を該電線４１に沿って適当に移動させることで該電線接合部が該スリーブカバー３０によって覆われるようにする。その状態で前記引出紐２５を任意の工具を使うか或いは手に直接引っ掛けて、図７に矢印で示したように、該電線４１に沿って外方に引っ張る。そうするとコア部材１ａとコア部材１ｂの先端部１４，１４がスリーブカバー３０の端部から離脱する。このように先端部１４，１４がスリーブカバー３０の端部から離脱した際に、該先端部１４，１４は同図に示したように収縮状態となる。このため、該コア部材１ａ，１ｂは、常温収縮チューブ４０の強い収縮力によって押圧されていてもその押圧力が緩み、比較的軽摩擦で簡単に該チューブ４０内から引き出すことができる。こうして該コア部材１ａ，１ｂが引き出されると、図８に示したように該常温収縮チューブ４０は電線４１の外周面に強く密着する。このためスリーブカバー３０の端部開口が該常温収縮チューブ４０によって完全に封止され、雨水や異物が電線接合部に侵入するのが防止される。なお、外部に引き出されたコア部材１ａとコア部材１ｂとは、前述したように互いの軸支部１７，１８から自在に分離し得ることから、該電線４１の外周から容易に除去することができる。スリーブカバー３０の両端部についてこのように引出紐２５を介してインナーコア１を引っ張り出すことで、スリーブカバー３０の両端部を常温収縮チューブ４０によって簡単に封止することができる。
【００１７】
このように本発明に係る電線カバーの端部封止工法では、引出紐２５に結止されたコア部材１ａ，１ｂを引き出すだけで、スリーブカバー３０の両端部を常温収縮チューブ４０によって簡単，確実に封止することができる。なお、引出紐２５を外方に引くとすぐにコア部材１ａの先端部１４，１４とコア部材１ｂの先端部１４，１４がスリーブカバー３０の開口縁から離脱し、図７に示したようにすぐにその離脱部分の外径が収縮するので、常温収縮チューブ４０の内面との摩擦が軽減される。このため比較的小さい引張力で該コア部材１ａとコア部材１ｂを外に出すことができる。また、コア部材１ａとコア部材１ｂとからなるインナーコア１は従来のように引き出し時に長いリボン状のものとならないため、リボン状のもののように長く引き出さなくても短いストロークで引き出すことができるとともに、インナーコア１は常温収縮チューブ４０中から引き出されると、すぐにコア部材１ａとコア部材１ｂとに分離するので、破壊しなくても電線４１上から簡単に除去することができ、電線連結工事における作業者の負担が軽減されるとともに作業性が向上する。
なお、引出紐２５はたとえ設けなくても適当な引抜工具に引っ掛けて常温収縮チューブ４０中からコア部材１ａとコア部材１ｂとを引き出すことも可能であるが、引出紐２５を設けたことによってはその引き出しをより容易にする。また、引出紐２５を設けたタブ２３はコア部材１ａ，１ｂの後側端縁から外方に屈折した形状に形成されていることから引出紐２５を引っ張ると先端部１４，１４を開かせる方向に力が掛かるので、スリーブカバー３０の開口縁から離脱を一層容易にする。
また、コア部材１ａ，１ｂの外側面にリブ１６ａ，１６ｂを形成したことでは、該リブ１６ａ，１６ｂに常温収縮チューブ４０の内面が当接することからコア部材１ａ，１ｂとの接触面積が小さくなり摩擦が軽減されることから、該コア部材１ａ，１ｂの引き出しがさらに容易となる。
【００１８】
なお、図９に示した実施形態は、スリーブカバー３０の端部の外周に係合溝３１を形成するとともに、先端部１４，１４の内面に該係合溝３１に係合する突起２６を形成することで、該先端部１４，１４が輸送中の振動等により無用に離脱することがないようにしたものである。
またこの実施形態では、スリーブカバー３０の外周にリング状のストッパ３２を固設し、該ストッパ３２に常温収縮チューブ４０を係着させることで、該常温収縮チューブ４０が輸送中の振動等によって該スリーブカバー３０から抜けるようなことのないようにしている。
また、図１０に示した実施形態は、スリーブカバー３０の端部の外周にリング３３を形成するとともに、先端部１４，１４の内面に該リング３３に係合する凹部３４を形成することで、該先端部１４，１４が輸送中の振動等により無用に離脱することがないようにするとともに、スリーブカバー３０の外周に横断面鋸刃形の環状抜止部３５を形成し、該環状抜止部３３に常温収縮チューブ４０を係着させている。
これらの実施形態のように、本発明では、インナーコア１や常温収縮チューブ４０の無用な離脱を防止する手段を適宜併用することが可能である。
【符号の説明】
【００１９】
１              インナーコア
１ａ，１ｂ      コア部材
１４            先端部
１５            係合段部
１６ａ，１６ｂ  リブ
１７，１８      軸支部
２３            タブ
２４            透孔
２５            引出紐
３０            スリーブカバー
４０            常温収縮チューブ
４１            電線
【要約】
【課題】電線連結工事の作業性を向上させる電線カバーの端部封止工法を提供する。
【解決手段】スリーブカバー３０と、インナーコア１と、常温収縮チューブ４０とを具備し、インナーコア１は一対の略半円筒形のコア部材１ａ，１ｂを開閉自在なるように軸支することで電線４１が貫通し得る中空筒状に組み立てられ、該インナーコア１の先端部１４を開状態としてスリーブカバー３０の開口縁に係止し、その状態で常温収縮チューブ４０を被着し、該スリーブカバー３０に電線４１を通したうえでインナーコア１を引き出すことで、前記先端部１４がスリーブカバー３０の開口縁から離脱し、該先端部１４が常温収縮チューブ４０の弾性により閉状態になるようにした。
【選択図】図５【図１】
0005960324.tif 000002
【図２】
0005960324.tif 000003
【図３】
0005960324.tif 000004
【図４】
0005960324.tif 000005
【図５】
0005960324.tif 000006
【図６】
0005960324.tif 000007
【図７】
0005960324.tif 000008
【図８】
0005960324.tif 000009
【図９】
0005960324.tif 000010
【図１０】
0005960324.tif 000011
【図１１】
0005960324.tif 000012
【図１２】
0005960324.tif 000013